【手続補正書】
【提出日】平成20年12月3日(2008.12.3)
【手続補正１】
【補正対象書類名】特許請求の範囲
【補正対象項目名】全文
【補正方法】変更
【補正の内容】
【特許請求の範囲】
【請求項１】
燃料電池システムであって、
正電位端部と負電位端部とを有する燃料電池積層体と、
前記燃料電池積層体の表面からのガスおよび表面へのガスを連結するために使用するマニフォールドと、
前記燃料電池積層体から前記マニフォールドを電気的に絶縁するために、前記マニフォールドと前記積層体との間に配置されている電気絶縁アセンブリと、
前記燃料電池積層体からの電解質が、前記電気絶縁アセンブリを横切って移動するのを妨害するように、前述マニフォールドの電位を調整するユニットと、
を有し、
前記ユニットは、前記燃料電池積層体の前記正電位端部と前記マニフォールドとの間に接続されていることを特徴とする燃料電池システム。
【請求項２】
前記ユニットは、前記マニフォールドの電位が、前記積層体の前記正電位端部で前記マニフォールドの電位と等しいおよび前記マニフォールドの電位より大きいのうちの１つとなるように調整することを特徴とする請求項１に記載の燃料電池システム。
【請求項３】
前記ユニットは、電源および電気導体のうちの１つを有することを特徴とする請求項１に記載の燃料電池システム。
【請求項４】
前記ユニットは電源を有し、前記電源は、前記燃料電池積層体の前記正電位端部に接続された負端子と、前記マニフォールドに接続された正端子とを有するバッテリーを含むと、前記ユニットは電気導体を有し、前記電気導体はワイヤである、とのうちの１つであることを特徴とする請求項３に記載の燃料電池システム。
【請求項５】
前記ユニットは電源を有し、前記バッテリーは、前記正端部と前記マニフォールドとの間に、前記燃料電池積層体の前記正電位端部での電位に等しい電位と前記燃料電池積層体の前記正電位端部での電位より大きい電位とのうちの１つの電位を提供することを特徴とする請求項４に記載の燃料電池システム。
【請求項６】
前記電気絶縁アセンブリは、
前記マニフォールドに隣接する絶縁部材と、
前記積層体と前記絶縁部材の間で隣接する関係で配置される１つ以上のガスケットを含む１つ以上の他の部材と、
を含むことを特徴とする請求項１に記載の燃料電池システム。
【請求項７】
前記絶縁部材は、雲母板および５０３Ｐフロゴパイト雲母板のうちの１つであることを特徴とする請求項６に記載の燃料電池システム。
【請求項８】
前記１つ以上の他の部材は、
前記燃料電池積層体の表面に隣接する湿式ガスケットと、
前記湿式ガスケットに隣接するセラミック部材と、
前記セラミック部材と前記絶縁部材の間に配置された乾式ガスケットと、
を隣接する関係で含むことを特徴とする請求項６に記載の燃料電池システム。
【請求項９】
前記湿式ガスケットと、前記セラミック部材と、前記乾式ガスケットと、前記絶縁部材とは、それぞれ額縁形状を有することを特徴とする請求項８に記載の燃料電池システム。
【請求項１０】
前記絶縁部材の上部端部の上部表面は、前記マニフォールドと、前記セラミック部材と、前記乾式ガスケットとのうちの１つ以上の各上部端部の上部表面を超えて伸びていることを特徴とする請求項９に記載の燃料電池システム。
【請求項１１】
前記絶縁部材の下部端部の上部表面は、前記マニフォールドと、前記セラミック部材と、前記乾式ガスケットとのうちの１つ以上の各下部端部の上部表面を超えて伸びていることを特徴とする請求項１０に記載の燃料電池システム。
【請求項１２】
前記ユニットが、前記燃料電池積層体の前記正電位端部に接続された負端子と前記マニフォールドに接続した正端子とを有するバッテリーと、前記燃料電池積層体の前記正電位端部と前記マニフォールドとの間に接続された電気ワイヤと、のうちの１つを含むことを特徴とする請求項１１に記載の燃料電池システム。
【請求項１３】
前記絶縁部材は、前記１つ以上の他の部材の１つ以上の表面に集まる飛散物が、前記マニフォールドの表面に集まる飛散物とブリッジするのを防ぐような形状となっていることを特徴とする請求項６に記載の燃料電池システム。
【請求項１４】
前記１つ以上の他の部材の１つ以上の表面が上向きに面する表面であり、前記マニフォールドの表面が上向きに面する表面であることを特徴とする請求項１３に記載の燃料電池システム。
【請求項１５】
前記燃料電池積層体の１つ以上の更なる面のうちの異なる１つの面にそれぞれ隣接して配置されている１つ以上の更なるマニフォールドと、
前記マニフォールドと前記更なるマニフォールドとが実質的に同じ電位であるように、前記マニフォールドと前記更なるマニフォールドとに接続している電気アセンブリと、
を更に有することを特徴とする請求項１に記載の燃料電池システム。
【請求項１６】
前記燃料電池積層体の１つ以上の更なる面のうちの異なる面に隣接してそれぞれ配置されている、１つ以上の更なるマニフォールドと、
１つの異なる更なるマニフォールドと、前記積層体から前記１つの異なる更なるマニフォールドを電気的に絶縁するための前記１つの異なる更なるマニフォールドに隣接する前記積層体の更なる面との間にそれぞれ配置された、１つ以上の更なる電気絶縁アセンブリと、
前記積層体からの電解質が、前記１つの異なる更なるマニフォールドに隣接する前記更なる電気絶縁部材を通るのを妨害するように、異なる更なるマニフォールドの電位をそれぞれ調節するための１つ以上の更なるユニットと、
を更に有することを特徴とする請求項１に記載の燃料電池システム。
【請求項１７】
マニフォールドから燃料電池積層体を電気的に絶縁するために、前記燃料電池積層体からの電解質が、前記燃料電池積層体の表面と前記マニフォールドとの間に配置されている電気絶縁アセンブリを通って流れるのを妨害する方法であって、
請求項１乃至請求項１２のいずれか１項に記載の燃料電池システムで使用される方法であり、
前記燃料電池積層体の正電位端部と前記マニフォールドとの間にユニットを接続する工程を有し、前記ユニットは、前記燃料電池積層体からの前記電解質の流れを妨害するように、前記マニフォールドの電位を調整することを特徴とする方法。
【請求項１８】
前記絶縁アセンブリは、前記マニフォールドと、前記燃料電池積層体と前記絶縁部材との間で隣接関係で配置された１つ以上の他の部材とを含み、
前記１つ以上の他の部材の１つ以上の表面上に集まる飛散物が、前記マニフォールドの表面に集まる飛散物とブリッジをつくることを妨害する工程を更に有することを特徴とする請求項１７に記載の方法。
【請求項１９】
１つ以上の他の部材とともに絶縁アセンブリ中で使用される絶縁部材であって、
前記絶縁アセンブリは、燃料電池積層体の表面からマニフォールドを絶縁するために使用されるものであり、
前記絶縁部材は、前記絶縁アセンブリが使用される場合に、前記絶縁部材が前記マニフォールドと隣接しかつ接触しており、前記１つ以上の他の部材が前記絶縁部材と前記燃料電池積層体との間で隣接する関係となるように、配置されており、
前記絶縁部材は、前記１つ以上の他の部材の１つ以上の表面上に集まる飛散物が前記マニフォールドの表面に集まる飛散物とブリッジをつくることを妨害するように、配置されていることを特徴とする絶縁部材。
【請求項２０】
前記１つ以上の他の部材が、前記燃料電池積層体の前記表面に隣接する湿式ガスケットと、前記湿式ガスケットに隣接するセラミック部材と、前記セラミック部材および前記絶縁部材との間に配置されている乾式ガスケットと、を隣接する関係で含み、
前記絶縁部材は、前記絶縁部材の上部端部の上部表面が、前記マニフォールドと、前記セラミック部材と、前記乾式ガスケットとのうちの１つ以上の各上部端部で上部表面を超えて伸びるように配置されていることを特徴とする請求項１９に記載の絶縁部材。
【請求項２１】
前記絶縁部材は、前記絶縁部材の下部端部の上部表面が、前記マニフォールドと、前記セラミック部材と、前記乾式ガスケットとのうちの１つ以上の各下部端部で上部表面を超えて伸びるように更に配置されていることを特徴とする請求項２０に記載の絶縁部材。
【請求項２２】
前記湿式ガスケットと、前記セラミック部材と、前記乾式ガスケットとは、それぞれ額縁形状を有し、
前記絶縁部材は、額縁形状を有することを特徴とする請求項２１に記載の絶縁部材。
【請求項２３】
額縁形状で配置された、第１および第２の水平部材と、第１および第２の垂直部材と、を有する絶縁部材であって、
前記垂直方向への前記第１および第２の水平部材の１つ以上の伸びが、前記水平方向における前記垂直部材の伸びよりも大きいことを特徴とする絶縁部材。
【請求項２４】
前記絶縁部材は、６００℃で１０8オーム・ｃｍ以上の絶縁抵抗を有する、および前記絶縁部材は雲母を含む、のうちの１つであることを特徴とする請求項２３に記載の絶縁部材。
【請求項２５】
燃料電池システムであって、
燃料電池積層体と、
前記燃料電池積層体の表面からのガスおよび表面へのガスを連結するために使用するマニフォールドと、
請求項１９乃至請求項２２のいずれか１項に記載の絶縁部材を含む電気絶縁アセンブリと、を含むことを特徴とする燃料電池システム。
【請求項２６】
前記１つ以上の他の部材の１つ以上の表面が上方向に面する表面であり、前記マニフォールドの前記表面が上方向に面する表面であることを特徴とする燃料電池システム。